(57)【要約】【課題】  面内せん断力に強いプレキャストコンクリート板およびこれを使用した構造物を提供することである。【解決手段】  プレキャストコンクリート板１は、適宜間隔をもって対向設置された鉄筋コンクリート製の上部シェル２と下部シェル３とが、その間に形成された連結枠体４で接合され、該連結枠体４が適宜間隔をもって対向状に設置された側板５と、この側板５間に適宜間隔をもって複数設置された桁材６と、これらの桁材６を接合するために桁材間に設置された波形のラチス材７とで構成されたものである。【選択図】図１
2006097307.tif 000002
【特許請求の範囲】
【請求項１】
適宜間隔をもって対向設置された鉄筋コンクリート製の上部シェルと下部シェルとが、その間に形成された連結枠体で接合され、該連結枠体が適宜間隔をもって対向状に設置された側板と、この側板間に適宜間隔をもって複数設置された桁材と、これらの桁材を接合するために桁材間に設置された波形のラチス材とで構成されたことを特徴とするプレキャストコンクリート板。
【請求項２】
適宜間隔をもって対向設置された鉄筋コンクリート製の上部シェルと下部シェルとが、その間に形成された連結枠体で接合され、該連結枠体が格子枠と、この格子枠内に形成された筋交いとで構成されたことを特徴とするプレキャストコンクリート板。
【請求項３】
桁材間および格子枠内には充填材が充填されてなることを特徴とする請求項１または２に記載のプレキャストコンクリート板。
【請求項４】
請求項１〜３におけるいずれかのプレキャストコンクリート板を柱間に架設された梁間に設置して形成したスラブまたは、請求項１〜３におけるいずれかのプレキャストコンクリート板を柱間に立てかけて形成した壁の少なくともいずれか一つを備えたことを特徴とする構造物。
【発明の詳細な説明】
【技術分野】
【０００１】
本発明はプレキャストコンクリート板および構造物に関するものである。
【背景技術】
【０００２】
鉄筋コンクリート構造物のスラブおよび壁は在来工法による現場打ちコンクリート、またはコンクリート板の上面にトラス筋が配筋されたプレキャストコンクリート板を用いて構築されている。このプレキャストコンクリート板としては、例えば特開２００３−２４７２９９号公報の発明がある。このプレキャストコンクリート板は梁間に連続して設置し、その上にコンクリートを打設してスラブを構築するため、コンクリート板が型枠兼用になるという利点があった。このスラブまたは壁を軽量化する方法として、矩形の中空部をスラブまたは壁内に設ける工法が知られている。
【特許文献１】特開２００３−２４７２９９号公報
【発明の開示】
【発明が解決しようとする課題】
【０００３】
しかし、上記のようにプレキャストコンクリート板を使用したスラブおよび壁は、矩形の中空部が面内せん断力（地震時の層せん断力など）に対して弱く、有効に働かないという問題があった。
【０００４】
本発明は上記のような問題に鑑みてなされたものであり、その目的は、面内せん断力に強いプレキャストコンクリート板およびこれを使用した構造物を提供することである。
【課題を解決するための手段】
【０００５】
課題を解決するための手段であるプレキャストコンクリート板は、適宜間隔をもって対向設置された鉄筋コンクリート製の上部シェルと下部シェルとが、その間に形成された連結枠体で接合され、該連結枠体が適宜間隔をもって対向状に設置された側板と、この側板間に適宜間隔をもって複数設置された桁材と、これらの桁材を接合するために桁材間に設置された波形のラチス材とで構成されたことを特徴とする。また桁材間には充填材が充填されてなることを含むものである。
【０００６】
またプレキャストコンクリート板は、適宜間隔をもって対向設置された鉄筋コンクリート製の上部シェルと下部シェルとが、その間に形成された連結枠体で接合され、該連結枠体が格子枠と、この格子枠内に形成された筋交いとで構成されたことを特徴とする。また格子枠内には充填材が充填されてなることを含むものである。
【０００７】
また構造物は、柱間に架設された梁間にプレキャストコンクリート板を連続的に設置して形成したスラブまたは、柱間にプレキャストコンクリート板を立てかけて形成した壁の少なくともいずれか一つを備えて構成され、前記プレキャストコンクリート板が、適宜間隔をもって対向設置された鉄筋コンクリート製の上部シェルと下部シェルとが、その間に形成された連結枠体で接合され、該連結枠体が適宜間隔をもって対向状に設置された側板と、この側板間に適宜間隔をもって複数設置された桁材と、これらの桁材を接合するために桁材間に設置された波形のラチス材とで構成されたことを特徴とする。また桁材間には充填材が充填されてなることを含むものである。
【０００８】
また構造物は、柱間に架設された梁間にプレキャストコンクリート板を連続的に設置して形成したスラブまたは、柱間にプレキャストコンクリート板を立てかけて形成した壁の少なくともいずれか一つを備えて構成され、前記プレキャストコンクリート板は、適宜間隔をもって対向設置された鉄筋コンクリート製の上部シェルと下部シェルとが、その間に形成された連結枠体で接合され、該連結枠体が格子枠と、この格子枠内に形成された筋交いとで構成されたことを特徴とする。また格子枠内には充填材が充填されてなることを含むものである。
【発明の効果】
【０００９】
波形のラチス材で桁材が接合されてなる連結枠が、上部シェルと下部シェルとの間に形成されたことにより、曲げ剛性が高くかつたわみ量が小さく、また地震を伝達する水平方向の層せん断力に強いプレキャストコンクリート板を提供することができる。また桁材間に充填された充填材を発泡型枠にすると、中空部を現場で容易に構築することができる。またプレキャストコンクリート板を使用してスラブを構築するときに、従来と同じたわみ量の場合はスラブ厚が小さくできるとともに、耐久性の高い構造物になる。
【発明を実施するための最良の形態】
【００１０】
以下、本発明のプレキャストコンクリート板（以下、ＰＣ板という）およびこのＰＣ板を使用した構造物について説明する。はじめにＰＣ板について説明し、その後に構造物について説明する。なお、各実施の形態において同じ構成は同じ符号を付して説明し、異なった構成は異なった符号を付して説明する。
【００１１】
図１および図２は、第１の実施の形態のＰＣ板１である。このＰＣ板１は、鉄筋コンクリート製の平面矩形の上部シェル２と下部シェル３とが連結枠体４で接合されて構成されている。この連結枠体４も鉄筋コンクリート製であり、下部シェル３および上部シェル２の両短辺側に立設された側板５と、これらの側板５間に設置された３本の桁材（下部シェルおよび上部シェルの両長辺側に立設された桁材と、これらの間に立設された桁材）６と、これらの桁材６間に設置された波形のラチス材７とから構成されている。
【００１２】
このラチス材７は、一方のラチス材８の谷部９と他方のラチス材１０の山部１１とが中央の桁材６でぶつかるように配設されてトラスを形成することにより、地震力を伝達する水平方向（矢印方向）の層せん断力に対して強くなる他、曲げ剛性が高くかつたわみ量も小さくなる構成になっている。
【００１３】
また桁材６にはトラス筋１２が配筋され、この上部または下部が上部シェル２または下部シェル３に埋設されてこれらを接合している。よって、これらの間には平面三角形の空隙部１３が形成されている。なお、ラチス材１０は一方のラチス材と他方のラチス材１０の谷部同士９（または山部同士１１）を同じ方向に向けて設置することもできる。
【００１４】
また図３は第２の実施の形態のＰＣ板１４である。このＰＣ板１４は連結枠体４が両側板５間に設置した５本の桁材６の間にラチス材７を設置して形成されたものであり、これ以外は第１の実施の形態のＰＣ板１と同じ構成である。このように連結枠体４がトラスを構成するため、地震を伝達する水平方向（矢印方向）の層せん断力に対して強くなる他、曲げ剛性が高くかつたわみ量も小さなＰＣ板１４にすることができる。
【００１５】
また図４は第３の実施の形態のＰＣ板１５である。このＰＣ板１５は連結枠体４が格子枠１６と、この格子枠１６内に設けたＸ状の筋交い１７とから構成されたものであり、これ以外は第１の実施の形態のＰＣ板１と同じ構成である。このＰＣ板１も連結枠体４におけるＸ状の筋交い１７により、地震を伝達する水平方向（矢印方向）の層せん断力に対して強くなる他、曲げ剛性が高くかつたわみ量も小さくなる。
【００１６】
また図５は第４の実施の形態のＰＣ板１８である。このＰＣ板１８は第１の実施の形態のＰＣ板１における平面三角形の空隙部１３に発泡樹脂製の充填材である軽量型枠１９を設置したものであり、これ以外は第１の実施の形態のＰＣ板１と同じ構成である。このように連結枠体４における空隙部１３に軽量型枠１９を設置すると、ＰＣ板１８の軽量化を図ることができるとともに、地震を伝達する水平方向（矢印方向）の層せん断力に対しても強くなり、曲げ剛性が高くかつたわみ量も小さくなる他、重量床衝撃音遮断性能が高くなる。
【００１７】
また図６および図７は第５および第６の実施の形態のＰＣ板２０、２１であり、第２および第３のＰＣ板１４、１５の空隙部１３に発泡樹脂製の充填材である軽量型枠１９を設置したものであり、これ以外は第２および第３の実施の形態のＰＣ板１４、１５と同じ構成であり、同じ効果を奏するものである。
【００１８】
また図８は第１の実施の形態の構造物２２である。この構造物２２は第１の実施の形態のＰＣ板１を使用したものであり、柱間に架設された梁２３間にＰＣ板１を連続的に設置して形成したスラブ２４と、柱間にＰＣ板１を連続的または単独で立てかけて形成した耐震壁などの壁２５とから構成されている。
【００１９】
このようなＰＣ板１を使用してスラブ２４および壁２５を構築すると、地震を伝達する水平方向の層せん断力に対して強くなる他、曲げ剛性が高くかつたわみ量も小さくなるため、大スパンの構造物に使用することができる。またＰＣ板１が軽量なため、従来のＰＣ板と同じたわみ量にすると、スラブ厚を小さくすることができる他、従来のＰＣ板と同じ厚さであれば、耐久性を高くすることができる。
【００２０】
また図９は第２の実施の形態の構造物２６である。この構造物２６は第４の実施の形態のＰＣ板１８を使用したものであり、柱間に架設された梁２３間にＰＣ板１８を連続的に設置して形成したスラブ２７と、このスラブ２７を仕切るようにして柱間にＰＣ板１８を連続的または単独で立てかけて形成した壁２８とから構成されている。
【００２１】
このようなＰＣ板１８を使用してスラブ２７を構築すると、地震を伝達する水平方向の層せん断力に対して強くなり、曲げ剛性が高くかつたわみ量も小さくなる他、重量床衝撃音遮断性能の高い構造物２６を構築することができる。またＰＣ板１８が軽量なため、従来のＰＣ板と同じたわみ量にすると、スラブ厚を小さくすることができる他、従来のＰＣ板と同じ厚さであれば、耐久性を高くすることができる。また壁２８も空気音遮断性能および耐久性を高めることができるとともに、垂直方向の捻れに対しても強くなる。
【００２２】
なお、上記構造物２２、２６の他、第１の実施の形態のＰＣ板１を使用したスラブ２４または壁２５のどちらか一方を備えた建物（図示せず）、第４の実施の形態のＰＣ板１８を使用したスラブ２７または壁２８のどちらか一方を備えた建物（図示せず）、第１または第４の実施の形態のＰＣ板１、１８のどちらか一方を使用したスラブ２４，２７と、第１または第４の実施の形態のＰＣ板１、１８のどちらか一方を使用した壁２５、２８とを備えた建物（図示せず）を構築することができる。
【図面の簡単な説明】
【００２３】
【図１】第１の実施の形態のＰＣ板の斜視図である。
【図２】（１）第１の実施の形態のＰＣ板の断面図、（２）は（１）のＡ−Ａ線断面図である。
【図３】第２の実施の形態のＰＣ板の断面図である。
【図４】第３の実施の形態のＰＣ板の断面図である。
【図５】（１）は第４の実施の形態のＰＣ板の斜視図、（２）は同断面図である。
【図６】第５の実施の形態のＰＣ板の断面図である。
【図７】第６の実施の形態のＰＣ板の断面図である。
【図８】第１の実施の形態の構造物の斜視図である。
【図９】第２の実施の形態の構造物の斜視図である。
【符号の説明】
【００２４】
１、１４、１５、１８、２０、２１  ＰＣ板
２  上部シェル
３  下部シェル
４  連結枠体
５  側板
６  桁材
７、８、１０  ラチス材
９  谷部
１１  山部
１２  トラス筋
１３  空隙部
１６  格子枠
１７  筋交い
１９  軽量型枠
２２、２６  構造物
２３  梁
２４、２７  スラブ
２５、２８  壁
【図１】
2006097307.tif 000003
【図２】
2006097307.tif 000004
【図３】
2006097307.tif 000005
【図４】
2006097307.tif 000006
【図５】
2006097307.tif 000007
【図６】
2006097307.tif 000008
【図７】
2006097307.tif 000009
【図８】
2006097307.tif 000010
【図９】
2006097307.tif 000011